(57)【特許請求の範囲】
【請求項１】
ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する凹んだ油溜め部を備える、
ことを特徴とするレンジフード。
【請求項２】
ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの横外側面に、前記ファンケーシングに連通した前記排気口が設けられるとともに、この排気口に連通する前記ダクト接続用部材が、前記本体ハウジングの横外側面に連結され、
前記ダクト接続用部材の本体ハウジングへの連結部分の下方の前記フードケースの上面に、前記油溜め部が設けられる、
ことを特徴とするレンジフード。
【請求項３】
前記油溜め部は、前記フードケースの上面を局部的に凹ませて構成される、
請求項２に記載のレンジフード。
【請求項４】
前記油溜め部に、前記フードケース内に通じる透孔が形成される、
請求項２または３に記載のレンジフード。
【請求項５】
ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの上面に、前記ファンケーシングに連通した排気口が設けられるとともに、この排気口に連通するダクト接続用部材が、前記本体ハウジングの上面に連結され、
前記本体ハウジングの上面に、前記ダクト接続用部材の連結部分を囲む前記油溜め部が設けられ、
前記油溜め部は、前記本体ハウジングの上面の前記排気口及び前記ダクト接続用部材の連結部分を含む領域を凹ませて構成され、この油溜め部の底面にダクト接続用部材が連結される、
ことを特徴とするレンジフード。
【請求項６】
ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの上面に、前記ファンケーシングに連通した排気口が設けられるとともに、この排気口に連通するダクト接続用部材が、前記本体ハウジングの上面に連結され、
前記本体ハウジングの上面に、前記ダクト接続用部材の連結部分を囲む前記油溜め部が設けられ、
前記油溜め部に、前記本体ハウジング内に通じる透孔が形成される、
ことを特徴とするレンジフード。
【発明の詳細な説明】
【技術分野】
【０００１】
本発明は、レンジフードに係り、詳しくは例えば、ガスコンロ、電気コンロ、および電磁誘導加熱式クッキングヒータ（ＩＨヒータ）などの加熱調理器具の上方に設置されて、調理中に発生する煙や湯気などの排ガスを吸い込み捕集して屋外に排出するためのレンジフードに関する。
【背景技術】
【０００２】
上記レンジフードとしては、例えば、特許文献１に示されているように、ファンケーシングを内装した本体ハウジングの下端に、排気捕集用のフードケースを連結し、本体ハウジングにファンケーシングに連通した排気口を設けるとともに、この排気口に連通する排気エルボ等のダクト接続用部材を、本体ハウジングの外側面に取り付けることで排気方向を変更し、このダクト接続用部材を排気ダクトに接続するようにしたものが知られている。
【先行技術文献】
【特許文献】
【０００３】
【特許文献１】特開２０１５−４５４１７号公報
【発明の概要】
【発明が解決しようとする課題】
【０００４】
上記ダクト接続用部材は、一般に、本体ハウジングの外側面にフランジ接合してネジ連結されており、その連結箇所にパッキンやシール材を介在して、排ガスが連結箇所から外部へ漏洩しないようにしている。
【０００５】
しかしながら、本体ハウジング及びダクト接続用部材は、板金加工された部材であるので、連結箇所の面精度は余り高いものではなく、環状の連結箇所の全周に亘って高いシール精度を均一に確保することは困難となっている。
【０００６】
また、ファンケーシングや上記ダクト接続用部材は、排ガスに接触して高温になることが多く、長期の使用によって、繰り返し加熱されたパッキンやシール材が経年劣化によって弾性が低下したり、パッキンやシール材が硬化して亀裂が発生し、シール性が低下することがある。
【０００７】
従って、ダクト接続用部材の連結箇所のシール性が損なわれると、排ガスに含まれる油液が、連結箇所から外部に漏洩し、本体ハウジングやフードケースの外面を汚損し、時にはユーザーの目につく箇所にまで伝い流れてくるおそれがある。
【０００８】
もちろん、連結箇所を面精度の高い厚板部材を用いたり、パッキンやシール材を耐熱性に優れ、長期に亘って高いシール性を維持できるものにすることで、油液の漏洩をある程度抑制することは可能であるが、加工コストや部品コストが嵩む難点がある。
【０００９】
本発明は、このような点に着目してなされたものであって、安価に製造することができる構造で、連結部分から漏洩した油液で周辺が広く汚損されることのないレンジフードを提供することを目的とする。
【課題を解決するための手段】
【００１０】
本発明では、上記目的を達成するために、次のように構成している。
【００１１】
（１）本発明は、ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する凹んだ油溜め部を備える。
【００１２】
本発明によると、ダクト接続用部材の本体ハウジングに対する連結部分に介在したシール材やパッキン材の経年劣化や亀裂などが発生すると、排ガスに含まれる油液が、連結部分から外部に漏洩することがあるが、漏洩した油液は、油溜め部に流入貯留されることになり、人の目につくフードケース外面にまで漏洩することはない。
【００１３】
（２）本発明は、ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの横外側面に、前記ファンケーシングに連通した前記排気口が設けられるとともに、この排気口に連通する前記ダクト接続用部材が、前記本体ハウジングの横外側面に連結され、前記ダクト接続用部材の本体ハウジングへの連結部分の下方の前記フードケースの上面に、前記油溜め部が設けられる。
【００１４】
本発明によると、ダクト接続用部材の本体ハウジングへの連結部分は縦姿勢であるので、連結部分の下方には油液が集まりやすく、連結部分からの油液の漏洩が生じやすくなるが、漏洩した油液は、油溜め部に流下して貯留されることになり、目につくフードケース外面が漏洩した油液で汚損されることはない。
【００１５】
（３）本発明の他の実施態様では、前記油溜め部は、前記フードケースの上面を局部的に凹ませて構成される。
【００１６】
本体ハウジングの横外側面の排気口にダクト接続用部材が連結されるので、油液の漏洩する領域、つまり、ダクト接続用部材の本体ハウジングへの連結部分の平面視での領域は、直線状の小さいものであり、この連結部分の下方の油溜め部も小さいもので済む。この実施態様によれば、フードケースの上面を局部的に凹ませて油溜め部を構成するので、油溜め部を形成するためのプレス加工も容易なものとなる。
【００１７】
（４）本発明の一実施態様では、前記油溜め部に、前記フードケース内に通じる透孔が形成される。
【００１８】
この実施態様によると、長期間に亘って油液の漏洩があっても油溜め部から油液がフードケース上に溢れることがなく、目につかないフードケース内に流して付着滞留させておくことができる。
【００１９】
（５）本発明は、ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの上面に、前記ファンケーシングに連通した排気口が設けられるとともに、この排気口に連通するダクト接続用部材が、前記本体ハウジングの上面に連結され、前記本体ハウジングの上面に、前記ダクト接続用部材の連結部分を囲む前記油溜め部が設けられ、
前記油溜め部は、前記本体ハウジングの上面の前記排気口及び前記ダクト接続用部材の連結部分を含む領域を凹ませて構成され、この油溜め部の底面にダクト接続用部材が連結される。
【００２０】
本発明によると、ダクト接続用部材の本体ハウジングへの連結部分は平面状になっており、連結部分の周方向いずれの箇所でも漏洩が発生する可能性があるが、漏洩した油液は、連結部分を囲む油溜め部に流入して貯留されることになり、本体ハウジングの上面からフードケースの上面にまで伝い流れて、周囲を汚損するようなことが防止される。
また、ダクト接続用部材の連結部分より一回り大きい広い領域をプレス加工で凹ませることで、連結部分を囲む油溜め部を形成することができ、例えば、連結部分の外側に油溜め部を環状に凹ませて構成する場合に比べてプレス加工が容易なものとなる。
【００２３】
（６）本発明は、ファンケーシングを内装した本体ハウジングの下端に、排気捕集用のフードケースが連結され、前記本体ハウジングには、前記ファンケーシングに連通した排気口が設けられ、この排気口に連通するダクト接続用部材が、前記本体ハウジングに連結されてなるレンジフードにおいて、
前記ダクト接続用部材の前記本体ハウジングへの連結部分から漏洩した油液が流入する油溜め部を備え、
前記本体ハウジングの上面に、前記ファンケーシングに連通した排気口が設けられるとともに、この排気口に連通するダクト接続用部材が、前記本体ハウジングの上面に連結され、
前記本体ハウジングの上面に、前記ダクト接続用部材の連結部分を囲む前記油溜め部が設けられ、
前記油溜め部に、前記本体ハウジング内に通じる透孔が形成される。
【００２４】
本発明によると、長期間に亘って油液の漏洩があっても油溜め部から油液が本体ハウジング上に溢れることがなく、目につかない本体ハウジング内に流して付着滞留させておくことができる。
【発明の効果】
【００２５】
以上のように、本発明によれば、ダクト接続用部材の連結部分を改造したり、シール構造を高価で特殊なものにしなくても、連結部分から漏洩した油液を溜める安価な構造で、周囲が汚損されることを簡単に防止することができる。
【図面の簡単な説明】
【００２６】
【図１】レンジフードを上方から見た斜視図である。
【図２】化粧パネルを備えたレンジフードを上方から見た斜視図である。
【図３】レンジフードを上方から見た分解斜視図である。
【図４】レンジフードの縦断正面図である。
【図５】レンジフードを下方から見た斜視図である。
【図６】レンジフードを下方から見た分解斜視図である。
【図７】排気ダクトの接続仕様が異なるレンジフードを上方から見た斜視図である。
【図８】油溜まり部の別実施形態を示す縦断面図である。
【図９】排気仕様が異なるレンジフードを上方から見た斜視図である。
【図１０】図９のレンジフードを上方から見た分解斜視図である。
【図１１】図９のレンジフードの縦断正面図である。
【図１２】排気ダクトの接続仕様が異なるレンジフードを上方から見た斜視図である。
【図１３】油溜まり部の別実施形態を示す縦断面図である。
【図１４】油溜まり部のその他の実施形態を示す縦断面図である。
【発明を実施するための形態】
【００２７】
以下、本発明の実施の形態について、図面を参照しながら説明する。
【００２８】
図１及び図２に、本発明の一実施形態のレンジフード１を上方から見た斜視図が、図３に、レンジフード１を上方から見た分解斜視図が、図４に、レンジフードの縦断正面図が、図５に、レンジフード１を下方から見た斜視図が、また、図６に、レンジフード１を下方から見た分解斜視図が、それぞれ示されている。
【００２９】
本実施形態のレンジフード１は、排気ファン２を内装した箱形の本体ハウジング３と、本体ハウジング３の下端に連設された排ガス捕集用のフードケース４とを備えている。また、フードケース４の内部には、排気流路形成用の内装パネル５と整流板６が備えられるとともに、フードケース４の上面前部には、左右一対の支持枠７を介して化粧パネル８が装着されるようになっている。
【００３０】
支持枠７及び化粧パネル８は、レンジフード１の設置高さに応じて上下に伸縮調節可能な上下２分割構造に構成されており、例えば、図２に示すように、左右の吊り戸棚９，１０の間にレンジフード１を設置する場合、天井とフードケース４の上面との間を塞ぐように、支持枠７及び化粧パネル８の高さが伸縮調節される。
【００３１】
図４に示すように、本体ハウジング３の内部には、ファンケーシング１２が固定配備されるとともに、このファンケーシング１２の天井部に一部入り込む状態で、ファン駆動用のモータ１３が縦向きに固定配備され、モータ１３から下向きに延出された回転軸１４に、シロッコファンからなる排気ファン２が周知の連結手段を用いてワンタッチ脱着可能に連結支持されている。
【００３２】
ファンケーシング１２の底部には、排気ファン２の下端吸気部に臨む円形の吸気口１５が、ファン軸心と同心に開口されるとともに、ファンケーシング１２の奥側において、右横向きに矩形の排気口１６が本体ハウジング３の横側に臨んで開口されている。そして、本体ハウジング３における右側の横外側面にダクト接続用部材としての排気エルボ１７が、フランジ接合されてネジ締め固定され、排気口１６から送出された排ガスが、上向きに方向転換されるようになっている。更に、排気エルボ１７の上端に排気筒１８が連通接続され、この排気筒１８と、壁面に挿通設置される蛇腹状に屈曲変形可能な排気ダクト１９とを連通接続するようになっている。なお、図示されていないが、排気エルボ１７のフランジ接合面には、パッキンやシール材が介在される。
【００３３】
前記フードケース４は、下面全体が開口された平面形状が矩形の浅い箱形に形成されており、図６に示すように、その奥側側壁部の下端辺に備えられた左右の係止爪２０に、内装パネル５の奥端辺を係止した上で、内装パネル５の前端隅部をフードケース４にネジ締め固定するようになっている。
【００３４】
フードケース４における奥側壁部には、照明ランプ２１や種々の電気機器が装備されており、これらが内装パネル５によって覆い隠されるようになっている。また、内装パネル５の奥側中央には、ランプカバー２２が備えられており、内装パネル装着状態において、照明ランプ２１の前面がランプカバー２２で覆われる。フードケース４における前面には、照明スイッチ、風力切換え用の運転スイッチ、タイマースイッチ、等のスイッチ類と、各スイッチに対応するＬＥＤからなるモニターランプ群を備えた操作部２３が装備され、また、フードケース４と内装パネル５との間に形成される空隙が配線スペースとなっている。
【００３５】
フードケース４の中央天井部４ａは別部材で構成されており、この中央天井部４ａに下面に、図４，図６に示すように、吸気口１５に臨む円形環状の油溜まり２４ａを備えたオイルトレー２４が装着されている。オイルトレー２４は、ファンケーシング１２の内面に付着して流下し、吸気口１５から滴下する油液を受け止め回収する。このオイルトレー２４の四隅には、係止孔２５と係止凹部２６が備えられており、これらを中央天井部４ａの下面に備えられた係止金具２７に、それぞれ横方向からスライド係止することで、オイルトレー２４を中央天井部４ａに脱着可能に連結支持するようになっている。
【００３６】
整流板６は、フードケース４における下向き開口より一回り小さい略矩形の扁平板状に構成されており、整流板６における奥端部の左右に備えた孔付きの連結金具２８を、内装パネル５の奥側に設けられた左右のフック２９に係止し、その係止点を中心にして整流板６を持上げ揺動することで、整流板６における手前側の左右に突設した孔付きの連結金具３０に、内装パネル５の左右に備えたロックピン３１が付勢係合して、整流板６を内装パネル５に対して所定の装填位置に固定するように構成されている。
【００３７】
整流板６が装填位置セットされた状態では、図４，図５に示すように、整流板６の外周端と内装パネル５の周壁部との間に、矩形環状の通気路３２が形成される。また、内装パネル５の下面と整流板６の上面との間は、フード内通気路３３となっており、通気路３２に流入した排気がフード内通路３３を介して吸気口１５に導かれる。
【００３８】
レンジフード１は以上のように構成されており、以下のようにして厨房の奥壁面に設置される。
【００３９】
先ず、化粧パネルが装着されていない前面が開放されたレンジフード１を持上げ、厨房奥壁面の所定高さ位置に取付け固定する。この場合、予め、奥壁面に取付けブラケット(図示せず）を、吊り戸棚９，１０の下端から設定された寸法だけ上方の位置に位置決め固定しておき、本体ハウジングの奥端上部に備えた連結金具３５を、取付けブラケットに上方からフック方式で係合支持する。これによって、レンジフード１は、その下端が吊り戸棚９，１０の下端と揃った高さにセットされる。
【００４０】
次に、連結金具３５を厨房奥壁面にネジ締め固定するとともに、フードケース４の奥端左右に備えられている連結金具３６を厨房奥壁面にネジ締め固定する。その後、排気筒１８に排気ダクト１９を接続する。
【００４１】
次に、支持枠７を、その上端が厨房天井に十分接近するように高さ調節して固定し、必要に応じて、支持枠７を厨房天井や吊り戸棚９，１０の側面にネジ連結する。次に、支持枠７の上下高さに合わせて伸縮調節した化粧パネル８を支持枠７に装着支持する。これによって、厨房天井とフードケース４の上面との間が化粧パネル８によって塞がれ、レンジフード１の設置が完了する。
【００４２】
上記構成は従来構造と特に変るところはなく、本実施形態においては、以下のような構造が備えられている。
【００４３】
すなわち、ダクト接続用部材としての排気エルボ１７は、本体ハウジング３の横外側面にフランジ接合されてネジ締め固定されて連結されており、図１，図３及び図４に示すように、この排気エルボ１７の連結部分Ｐに、下方から臨む前後に細長い油溜め部３８が、フードケース４の上面をプレス加工によって凹ませて形成されている。
【００４４】
この油溜め部３８は、連結部分Ｐから漏洩する油液を貯留回収するものであり、漏洩した油液でフードケース４の上面や外側面が汚損されることを防止する。
【００４５】
本体ハウジング３の横側面に排気口１６を形成した上記構造のレンジフード１においては、図７に示すように、本体ハウジング３の横外側面に、ダクト接続用部材としての排気筒１８を直接にフランジ接合してネジ連結する形態で実施することもできる。
【００４６】
なお、図８（ａ）に示すように、油溜め部３８における側壁の少なくとも一箇所に、排出用の透孔３９を形成しておくと、油溜め部３８に貯留された油液がフードケース４の上面に溢れ出ることを防止することができる。この場合、透孔３９から流出した油液は、フードケース４における中央天井部４ａの上に流下して貯留されることになり、外部に漏洩して周囲を汚損することはない。また、図８（ｂ）に示すように、小径の透孔３９を油溜め部３８における底面の少なくとも一箇所に設けてもよい。
【００４７】
図９〜図１２に、本体ハウジング３の上面に排気口１６を形成した構造のレンジフード１の実施形態が示されている。
【００４８】
すなわち、図１１に示すように、このレンジフード１においては、ファンケーシング１２に接続された内部エルボ４０が本体ハウジング３に内装されて、内部エルボ４０の上端開口が、上向きの排気口１６として本体ハウジング３の上面に開口されている。
【００４９】
図９〜図１１に示す実施形態では、本体ハウジング３の上面に、前記排気口１６に連通するダクト接続用部材としての排気エルボ１７がフランジ接合されてネジ締め固定されて連結され、排気口１６から上向きに送出された排ガスが横向きに方向転換されるようになっている。更に、排気エルボ１７の側端開口部に排気筒１８が連通接続され、この排気筒１８と、壁面に挿通設置される蛇腹状に屈曲変形可能な排気ダクト１９とを連通接続するようになっている。
【００５０】
そして、本体ハウジング３の上面は、排気エルボ１７の連結部分を含む広い範囲に亘る平面形状が矩形の領域が凹まされて油溜め部３８が形成され、油溜め部３８の底面に、排気口１６と排気エルボ連結部分が設けられている。
【００５１】
この構成によれば、排気エルボ１７の連結部分Ｐから油液が漏洩しても、漏洩した油液は、油溜め部３８に貯留されて、本体ハウジング３やフードケース４の外面が油液で汚損されることはない。
【００５２】
本体ハウジング３の上面に排気口１６を形成した上記構造のレンジフード１においては、図１２に示すように、本体ハウジング３の上面にダクト接続用部材としての排気筒１８を直接にフランジ接合してネジ連結する使用形態で実施することもできる。
【００５３】
また、図１３（ａ），（ｂ）に示すように、油溜め部３８における側壁上部あるいは底面の少なくとも一箇所に排出用の透孔３９を形成しておくことで、油溜め部３８に貯留された油液が本体ハウジング３の上面に溢れ出ることを防止することができる。この場合、透孔３９から流出した油液は、本体ハウジング３内においてファンケーシング１２やフードケース４の上に流下することになるが、ファンケーシング１２やフードケース４の上に流下した油液は本体ハウジング３の外部にまで流出することはなく、ユーザーの目に入る箇所が油液で汚損されることはない。
【００５４】
本発明は、以下のような形態で実施することもできる。
【００５５】
（１）本体ハウジング３の横側面に排気口１６を形成した構造のレンジフード１において、連結部分Ｐの下端とフードケース４との上面との間隔がある程度大きい場合には、金属材あるいは樹脂材で形成した別部材の油溜め部３８を、フードケース４の上に位置決め配置する形態で実施することもできる。この場合、油溜め部３８を脱着可能に設置することで、必要に応じて油溜め部３８を取り外して溜まった油液を廃棄することも可能となる。
【００５６】
（２）本体ハウジング３の上面に排気口１６を形成した構造のレンジフード１においては、図１４に示すように、本体ハウジング３の上面を局部的に凹ませて、排気エルボ１７あるいは排気筒１８などのダクト接続用部材の連結部分Ｐを囲む矩形環状の油溜め部３８を形成することもできる。この場合、油溜め部３８が本体ハウジング３の上面強度を高める環状の補強リブとしても機能するので、上部に設ける透孔３９は、単孔の他に横長のスリット状のものでもよい。
【００５７】
（３）油溜め部３８の容積を十分確保できる場合には、透孔３９は必ずしも設けなくてもよい。
【符号の説明】
【００５８】
１            レンジフード
２            排気ファン
３            本体ハウジング
４            フードケース
１２          ファンケーシング
１６          排気口
１７          排気エルボ（ダクト接続用部材）
１８          排気筒（ダクト接続用部材）
３８          油溜め部
３９          透孔
Ｐ            連結部分
【図１】
0006576743.tif 000002
【図２】
0006576743.tif 000003
【図３】
0006576743.tif 000004
【図４】
0006576743.tif 000005
【図５】
0006576743.tif 000006
【図６】
0006576743.tif 000007
【図７】
0006576743.tif 000008
【図８】
0006576743.tif 000009
【図９】
0006576743.tif 000010
【図１０】
0006576743.tif 000011
【図１１】
0006576743.tif 000012
【図１２】
0006576743.tif 000013
【図１３】
0006576743.tif 000014
【図１４】
0006576743.tif 000015